(57)【要約】【課題】  ベッドフレームの複雑な曲線に沿うことができるとともに、背上げ時や足上げ時におけるベッドフレームへの臀部の底付きも防止することができるウレタンマットレスを提供すること。【解決手段】  ウレタンフォーム製の複数個のマットレス片３，２，３をマットレス長手方向に沿って直接あるいは間接的に一列に連結し、該複数個のマットレス片のうち、臀部と接する位置のマットレス片２を上下方向に三層構造とし、該マットレス片２の最下層については柔らかいウレタンフォーム６、硬いウレタンフォーム５、柔らかいウレタンフォーム６をこの順にマットレス長手方向に沿って一列に並べるとともに、中間層と最上層のウレタンフォーム７，８については、最下層の真ん中の硬いウレタンフォーム５よりは柔らかく、かつ、該三層構造としたマットレス片２の両隣りのマットレス片３，３よりは硬いウレタンフォームとした。【選択図】      図２
0003105924.tif 000002
【実用新案登録請求の範囲】
【請求項１】
ウレタンフォーム製の複数個のマットレス片をマットレス長手方向に沿って直接あるいは間接的に一列に連結し、
該連結した複数個のマットレス片のうち、臀部と接する位置のマットレス片を上下方向に三層構造とし、
該三層構造としたマットレス片の最下層については柔らかいウレタンフォーム、硬いウレタンフォーム、柔らかいウレタンフォームをこの順にマットレス長手方向に沿って一列に並べるとともに、中間層と最上層を構成するウレタンフォームについては、前記最下層の真ん中の硬いウレタンフォームよりは柔らかく、かつ、該三層構造としたマットレス片と接する両隣りのマットレス片よりは硬いウレタンフォームとしたことを特徴とするウレタンマットレス。
【請求項２】
ウレタンフォーム製の複数個のマットレス片をマットレス長手方向に沿って直接あるいは間接的に一列に連結し、
該連結した複数個のマットレス片のうち、臀部と接する位置のマットレス片を上下方向に三層構造とし、
該三層構造としたマットレス片の中間層については柔らかいウレタンフォーム、硬いウレタンフォーム、柔らかいウレタンフォームをこの順にマットレス長手方向に沿って一列に並べるとともに、最下層と最上層を構成するウレタンフォームについては、前記中間層の真ん中の硬いウレタンフォームよりは柔らかく、かつ、該三層構造としたマットレス片と接する両隣りのマットレス片よりは硬いウレタンフォームとしたことを特徴とするウレタンマットレス。
【考案の詳細な説明】
【技術分野】
【０００１】
本考案は、ウレタンフォーム製のマットレスに関するものである。
【背景技術】
【０００２】
これまでのマットレスとしては、マットレス全体を同一素材で構成したもの、違う硬さのウレタンフォームを厚み方向に数種類重ねたもの、ウレタンフォームの上や中央部に適度な硬さの固形部材や流動性ゲルを敷いたもの等がある。また、マットレスを３分割や複数分割したもの、マットレスの部位ごとに硬さを変えることができるようにしたもの等も知られている。
【考案の開示】
【考案が解決しようとする課題】
【０００３】
体圧分散を目的としたマットレスでは、ウレタンフォーム等の柔らかな素材を用いる場合、通常、フォームの厚みを増すか、何層か重ねることで、ベッドの背上げや足上げ時、特に背上げ時のベッドフレームへの臀部の底付きを防止するようにしている。
【０００４】
しかしながら、近年の背上げ・足上げ機構付きベッドは、より体にフィットするようなカーブが考案され、ベッドフレームの曲線も複雑になってきている。このため、上記のようなマットレスでは、マットレスがベッドフレームからずれたり、また、３分割等されたマットレスの場合には、背上げ時の底付き防止のため、臀部に位置するフォーム部分は全体をかなり硬いフォームとされており、この硬いフォームがベッドフレームの複雑なカーブに対応しきれず、ウレタンフォームがベッドフレームから浮いてしまうことがあった。
【０００５】
本考案は、このような問題を解決するためになされたもので、ベッドフレームの複雑な曲線に沿うことができるとともに、背上げ時や足上げ時におけるベッドフレームへの臀部の底付きも防止することのできるウレタンマットレスを提供することを目的とするものである。
【課題を解決するための手段】
【０００６】
上記目的を達成するため、本考案に係る第１のウレタンマットレスは、ウレタンフォーム製の複数個のマットレス片をマットレス長手方向に沿って直接あるいは間接的に一列に連結し、該連結した複数個のマットレス片のうち、臀部と接する位置のマットレス片を上下方向に三層構造とし、該三層構造としたマットレス片の最下層については柔らかいウレタンフォーム、硬いウレタンフォーム、柔らかいウレタンフォームをこの順にマットレス長手方向に沿って一列に並べるとともに、中間層と最上層を構成するウレタンフォームについては、前記最下層の真ん中の硬いウレタンフォームよりは柔らかく、かつ、該三層構造としたマットレス片と接する両隣りのマットレス片よりは硬いウレタンフォームとしたものである。
【０００７】
また、上記目的を達成するため、本考案に係る第２のウレタンマットレスは、ウレタンフォーム製の複数個のマットレス片をマットレス長手方向に沿って直接あるいは間接的に一列に連結し、該連結した複数個のマットレス片のうち、臀部と接する位置のマットレス片を上下方向に三層構造とし、該三層構造としたマットレス片の中間層については柔らかいウレタンフォーム、硬いウレタンフォーム、柔らかいウレタンフォームをこの順にマットレス長手方向に沿って一列に並べるとともに、最下層と最上層を構成するウレタンフォームについては、前記中間層の真ん中の硬いウレタンフォームよりは柔らかく、かつ、該三層構造としたマットレス片と接する両隣りのマットレス片よりは硬いウレタンフォームとしたものである。
【考案の効果】
【０００８】
上記構成になる本考案のウレタンマットレスによれば、ベッドの背上げや足上げ時、臀部と接するマットレス片を三層構造とし、この三層構造のうち、最下層または中間層に、マットレス長手方向に沿って、柔らかいウレタンフォーム、硬いウレタンフォーム，柔らかいウレタンフォームを一列に並べているので、背上げや足上げ時のベッドフレームの複雑な曲線にも柔軟に追従することができるようになる。このため、マットレスとベッドフレームとの間に隙間ができるようなことがなくなり、ウレタンマットレスがベッドからずれるようなことがなくなる。
【０００９】
また、臀部と接するマットレス片の最下層または中間層の真ん中のウレタンフォームとして硬いウレタンフォームを用いるとともに、他の層のウレタンフォームについても両隣りのマットレス片よりも硬いウレタンフォームを用いているので、臀部の落ち込みを効果的に防ぐことができ、ベッドフレームへの臀部の底付きも防止することができる。
【００１０】
さらに、複数分割した各マットレス片の硬さの違いを利用して体の落ち込みのバランスをとると同時に、三層構造としたマットレス片の最下層または中間層に硬さの異なる３枚のウレタンフォームを一列に並べることにより、マットレス全体をより身体のラインにフィットさせることが可能となり、背上げ・足上げ時だけでなく、仰臥姿勢時においても臀部の落ち込みを防ぎ、立位と同じような姿勢で違和感なく寝ることができる。
【考案を実施するための最良の形態】
【００１１】
図１に、本考案に係るウレタンマットレスの第１の実施の形態を示す。図において、（Ａ）はマットレス全体の構成を示す側面図、（Ｂ）は中央部のマットレス片の略示拡大側面図、（Ｃ）は左右両隣りのマットレス片の略示拡大側面図である。
【００１２】
この第１の実施の形態に係るウレタンマットレス１は、マットレスの長手方向（仰臥方向）に沿って等分に三分割した場合の例を示すもので、マットレス全体の大きさは、通常のマットレスと同程度の、長さ１９２０ｍｍ×幅８３０ｍｍ×厚さ１００ｍｍとされている。この三分割された各マットレス片３，２，３のうち、中央部に位置するマットレス片２が臀部や腰部と接してその荷重を支える部分であり、左右両隣りのマットレス片３，３が頭部や上半身、脚部等と接してそれぞれの荷重を支える部分である。
【００１３】
臀部や腰部と接する中央部のマットレス片２は、上下方向に三層構造とされている。そして、その最下層には、中央部に硬いウレタンフォーム５が配置されているとともに、その両隣りに柔らかいウレタンフォーム６，６がマットレス長手方向に沿って一列に配置されている。さらに、その上側の中間層と最上層は、最下層の真ん中の硬いウレタンフォーム５よりは柔らかく、かつ、該三層構造としたマットレス片２と接する両隣りのマットレス片３，３よりは硬いウレタンフォーム７，８で構成され、中間層のウレタンフォーム７の上面には高低差２５ｍｍ、ピッチ３０ｍｍ程度の凹凸９が形成されている。
【００１４】
一方、左右両隣りのマットレス片３，３は、三層構造とされたマットレス片２のいずれのウレタンフォームよりも柔らかなウレタンフォームで構成されており、その上面には高低差４０ｍｍ、ピッチ３０ｍｍ程度の凹凸１０が形成されている。
【００１５】
上記各マットレス片を構成する各ウレタンフォームの具体的な硬さの例を挙げると、中央部のマットレス片２の最下層の真ん中のウレタンフォーム５の硬さ約２００Ｎ、その左右のウレタンフォーム６，６の硬さ約７０Ｎ、中間層のウレタンフォーム７の硬さ約１２０Ｎ、最上層のウレタンフォーム８の硬さ約５０〜６０Ｎ、左右両隣りのマットレス片３，３の硬さ約７０Ｎ程度である。
【００１６】
なお、左右両隣りのマットレス片３，３，の硬さは約７０Ｎであり、中央部のマットレス片２の最上層のウレタンフォーム８の硬さ約５０〜６０Ｎよりも数値的には硬くなっているが、これは、マットレス片３，３の上面には高低差４０ｍｍ、ピッチ３０ｍｍ程度の大きな凹凸１０が形成されており、この凹凸１０の作用によってマットレス片３，３の実質的な硬さは４５〜６０Ｎ程度となるように設定されているためであり、マットレス片３，３，は中央部のマットレス片２を構成するどのウレタンフォームよりも実質的に柔らかくなるように考慮されている。
【００１７】
上記三分割された各マットレス片３，２，３は、例えば図１（Ａ）に示すように、お互いの端面を突き合わせた状態で接着剤等を用いて接着することにより、分離不可能に直接一体的に連結されている。なお、この各マットレス片３，２，３の連結方法は、接着剤等を用いて分離不可能に直接一体的に連結するだけでなく、例えば、３室連結式の専用マットレスカバーやマジックテープ、ファスナー、ボタン等を用いて分離可能に間接的に一体的に連結するようにしてもよい。
【００１８】
上記構成になるウレタンマットレス１を使用した場合、ベッドフレームの背上げ機構や足上げ機構を用いてベッドの背上げや足上げをすると、図２に示すように、ウレタンマットレス１の中央部に位置するマットレス片２に患者Ｍ等の臀部が接する。この中央部のマットレス片２の最下層には、マットレス長手方向に沿って、柔らかいウレタンフォーム６、硬いウレタンフォーム５，柔らかいウレタンフォーム６が一列に並べられているので、背上げや足上げ時のベッドフレームの複雑な曲線にも柔軟に追従することができるようになる。このため、ベッドフレーム（図示略）との間に隙間ができるようなことがなくなり、ベッドフレーム上に敷いたウレタンマットレス１がベッドからずれるようなことがなくなる。
【００１９】
さらに、三層構造とされたマットレス片２の最下層の真ん中のウレタンフォーム５として硬いウレタンフォームを用いるとともに、その上側に位置する中間層と最上層のウレタンフォーム７，８にも左右両隣りのマットレス片３，３よりも実質的に硬いウレタンフォームを用いているので、中央部の三層構造とされたマットレス片２によって臀部の落ち込みを効果的に防ぐことができ、ベッドフレームへの臀部の底付きも防止することができる。
【００２０】
一般に、人間の体重の約半分は臀部と腰部に集中するが、全体が同一の硬さからなるマットレスや、中央部分が他の部分に比べて柔らかいマットレスでは、体重の集中する臀部付近が大きく落ち込むため、腰への負担が大きくなる。これに対し、上記第１の実施の形態に係るウレタンマットレス１の場合、３分割した各マットレス片３，２，３の硬さの違いを利用して体の落ち込みのバランスをとると同時に、中央部のマットレス片２の最下層に硬さの異なる３枚のウレタンフォーム６，５，６を一列に並べているので、マットレス全体をより身体のラインにフィットさせることができ、背上げ・足上げ時だけでなく、仰臥姿勢時においても臀部の落ち込みを防ぎ、立位と同じような姿勢で違和感なく寝ることができるようになる。
【００２１】
なお、上記実施の形態では、中央部の三層構造としたマットレス片２の最下層の真ん中の硬いウレタンフォーム５のマットレス長手方向の寸法を約３４０ｍｍ（図１（Ｂ）参照）としたが、これは日本人の骨格体型の統計調査結果から最適値として設定したものである。
【００２２】
図３に、本考案に係るウレタンマットレスの第２の実施の形態を示す。
この第２の実施の形態に係るウレタンマットレス１１は、前記第１の実施の形態と同じくマットレスの長手方向（就寝時の仰臥方向）に沿って三分割構成としたもので、マットレス全体の大きさも、第１の実施の形態と同じく長さ１９２０ｍｍ×幅８３０ｍｍ×厚さ１００ｍｍとされている。
【００２３】
この第２の実施の形態に係るウレタンマットレス１１も、臀部や腰部と接する中央部のマットレス片１２は、上下方向に三層構造とされている。そして、この三層構造とされたマットレス片２の中間層には、中央部に硬いウレタンフォーム１５が配置されているとともに、その両隣りには柔らかいウレタンフォーム１６，１６がマットレス長手方向に沿って一列に配置されている。さらに、最下層と最上層は、中間層の真ん中の硬いウレタンフォーム１５よりは柔らかく、かつ、該三層構造としたマットレス片１２と接する両隣りのマットレス片１３，１３よりは硬いウレタンフォーム１４，１８で構成されている。
【００２４】
一方、左右両隣りのマットレス片１３，１３は、三層構造とされたマットレス片１２のいずれのウレタンフォームよりも柔らかなウレタンフォームで構成されている。この左右両隣りのマットレス片１３はそれぞれ、２枚のウレタンフォーム１３ａ，１３ｂを背中合わせに張り合わせて構成されており、その上面と下面には高低差２０ｍｍ、ピッチ３０ｍｍ程度の凹凸２０ａ，２０ｂがそれぞれ形成されている。
【００２５】
上記各マットレス片を構成する各ウレタンフォームの具体的な硬さの例を挙げると、中央部のマットレス片２の中間層の真ん中のウレタンフォーム１６の硬さ約１８０Ｎ、その左右のウレタンフォーム１６，１６の硬さ約５０〜７０Ｎ、最下層と最上層のウレタンフォーム１４，１８の硬さ約５０〜６０Ｎ、左右両隣りのマットレス片３，３の硬さ７０Ｎ程度である。
【００２６】
なお、左右両隣りのマットレス片１３，１３の上下両面には、それぞれ高低差２０ｍｍ、ピッチ３０ｍｍ程度の凹凸２０ａ，２０ｂが形成されているため、実質的な硬さは４５〜６０Ｎ程度となり、左右両隣りのマットレス片１３，１３は中央部のマットレス片１２を構成するどのウレタンフォームよりも実質的に柔らかくなるように考慮されている。
【００２７】
上記三分割された各マットレス片１３，１２，１３は、前記第１の実施の形態と同じく、お互いの端面を突き合わせた状態で接着剤等を用いて接着することにより、分離不可能に直接一体的に連結されている。なお、この各マットレス片３，２，３の連結方法は、接着剤等を用いて分離不可能に直接一体的に連結するだけでなく、例えば、３室連結式の専用マットレスカバーやマジックテープ、ファスナー、ボタン等を用いて分離可能に間接的に一体的に連結するようにしてもよい。
【００２８】
上記構成になるウレタンマットレス１１の場合、三層構造とされた中央部のマットレス片１２の中間層には、マットレス長手方向に沿って、柔らかいウレタンフォーム１６、硬いウレタンフォーム１５，柔らかいウレタンフォーム１６が一列に並べられているので、背上げや足上げ時のベッドフレームの複雑な曲線にも柔軟に追従することができるようになる。このため、ベッドフレームとの間に隙間ができるようなことがなくなり、ベッドフレーム上に敷いたウレタンマットレス１１がベッドからずれるようなことがなくなる。
【００２９】
さらに、三層構造とされたマットレス片１２の中間層の真ん中のウレタンフォーム１５として硬いウレタンフォームを用いるとともに、最下層と最上層のウレタンフォーム１４，１８にも左右両隣りのマットレス片１３，１３よりも実質的に硬いウレタンフォームを用いているので、中央部の三層構造とされたマットレス片１２によって臀部の落ち込みを効果的に防ぐことができ、ベッドフレームへの臀部の底付きも防止することができる。
【００３０】
また、第１の実施の形態と同様に、３分割した各マットレス片１３，１２，１３の硬さの違いを利用して落ち込みのバランスをとると同時に、中央部のマットレス片１２の中間層に硬さの異なる３枚のウレタンフォーム１６，１５，１６を一列に並べているので、マットレス全体をより身体のラインにフィットさせることができ、背上げ・足上げ時だけでなく、仰臥姿勢時においても臀部の落ち込みを防ぎ、立位と同じような姿勢で違和感なく寝ることができるようになる。
【００３１】
また、この第２の実施の形態に係るウレタンマットレス１１の場合、左右のマットレス片１３，１３を２枚重ねのウレタンフォーム１３ａ，１３ｂとするとともに、三層構造とした中央部のマットレス１２も中間層を中にして最下層と最上層のウレタンフォーム１４，１８を上下対称に配置しているので、マットレスを裏返せばリバーシブルに使用することができる。このため、ウレタンフォーム１３ａ，１３ｂ、１４，１８の色を上下面で異ならせておけば、リバーシブル使用することによって表裏で異なる風合いを楽しむことができる。
【００３２】
なお、上述した第１および第２の実施の形態は、それぞれマットレス長手方向に沿って等分に三分割した場合を例示したが、分割数や分割寸法はこれに限られるものではない。要は、三層構造としたマットレス片がちょうど臀部や腰部に位置するような分割の仕方であれば、分割数および分割された各マットレス片の寸法に制限はない。
【図面の簡単な説明】
【００３３】
【図１】本考案に係るウレタンマットレスの第１の実施の形態を示すもので、（Ａ）はウレタンマットレス全体の構成を示す側面図、（Ｂ）は中央部のマットレス片の略示拡大側面図、（Ｃ）は左右両隣りのマットレス片の略示拡大側面図である。
【図２】上記ウレタンマットレスの使用状態の説明図である。
【図３】本考案に係るウレタンマットレスの第２の実施の形態の側面図である。
【符号の説明】
【００３４】
１，１１  ウレタンマットレス
２，１２  三層構造になるマットレス片
３，１３  マットレス片
１３ａ，１３ｂ  ウレタンフォーム
５，１５  中央部のウレタンフォーム
６，１６  ウレタンフォーム
７    中間層のウレタンフォーム
８    最上層のウレタンフォーム
９    凹凸
１０  凹凸
１４  最下層のウレタンフォーム
１８  最上層のウレタンフォーム
２０ａ，２０ｂ  凹凸
【図１】
0003105924.tif 000003
【図２】
0003105924.tif 000004
【図３】
0003105924.tif 000005